(57)【特許請求の範囲】
【請求項１】
長手方向に少なくとも一部の長さが異なる２枚の合成樹脂製フィルムを、内部を滅菌状態にして両側縁部分、底縁部分および上縁部分を熱融着して密封した母乳保存用バッグであり、
該上縁部分に形成された熱融着部は、母乳を注入するための開口を形成する際に引き剥がし可能な弱熱融着部であり、
該弱熱融着部の下部には、該弱熱融着部と略平行にチャック部が形成されており、
該弱熱融着部とチャック部との間の側縁部分の熱融着部には、開口により汚染された部分を弱熱融着部と共に切除するための上部切り込みが形成されており、
該弱熱融着部の上部には、少なくとも一部の長さが異なる２枚の合成樹脂製フィルムからなる長摘み片と短摘み片とから形成され、かつ、該短摘み片の両側縁部の上端部は、側縁部分の熱融着部によって熱融着されずにリリース部を形成する摘み部が、上記短摘み片と長摘み片とを引き離すことよって、上記弱熱融着部を剥離すると共に、チャック部を開口可能に形成されていることを特徴とする母乳保存用バッグ。
【請求項２】
前記弱熱融着部のピール強度が、８〜１２Ｎ／１５ｍｍの範囲内にあることを特徴とする請求項１記載の母乳保存用バッグ。
【請求項３】
前記側縁部分の熱融着部の下端部近傍には、該底縁部分に形成された底部熱融着部を開口するための下部切り込みが形成されていることを特徴とする請求項１記載の母乳保存用バッグ。
【請求項４】
前記母乳保存用バッグを形成する合成樹脂製フィルムが、上部切り込みからの切り裂き方向と平行に一軸延伸された合成樹脂層、または、上部切り込みから切り裂き方向に弱め線が設けられた合成樹脂層を有する合成樹脂製積層体から形成されていることを特徴とする請求項１記載の母乳保存用バッグ。
【請求項５】
前記母乳保存用バッグを開口する際に開口により汚染された摘み部を弱熱融着部と共に切除するための上部切り込みを有し、該母乳保存用バッグに開口を形成し、次いで、合成樹脂製フィルムの内接する部分を前記上部切り込みから切除し、該開口から該バッグの内部に母乳を注入し、さらに、チャック部を嵌合した後、該チャック部を芯材として所定の回数巻き込むことにより形成される巻回した巻回部を、巻回されなかった母乳保存用バッグの表面部分に係止するシール部材貼着予定部が形成されていることを特徴とする請求項１記載の母乳保存用バッグ。
【請求項６】
前記母乳保存用バッグに形成されたシール部材貼着予定部が、母乳保存用バッグの少なくとも一方の外面に形成された、シール部材の下端部の貼着位置を決めるシール部材貼着下端部位置決め手段であることを特徴とする請求項５記載の母乳保存用バッグ。
【請求項７】
前記母乳保存用バッグは、透明な２枚の合成樹脂製フィルムから形成されていると共に、該母乳保存用バッグの一方の外面にシール部材の下端部の貼着位置を決めるシール部材貼着下端部位置決め手段を有し、さらにシール部材の上端の貼着位置を決めるシール部材貼着上端部位置決め手段が、前記巻回部の合成樹脂フィルムを透過して表示されることを特徴とする請求項５記載の母乳保存用バッグ。
【請求項８】
前記シール部材が、基材の一方の面に接着剤層が形成されてなり、該接着剤層の略半分が前記母乳保存用バッグの一方の外面に貼着され、かつ、該接着剤層の残りの略半分に剥離紙が貼着されており、
前記剥離紙が貼着された接着剤層の剥離紙を除去した後に、前記巻回部に貼着して該巻回部が母乳保存用バッグの表面に係止されることを特徴とする請求項５に記載の母乳保存用バッグ。
【請求項９】
長手方向に少なくとも一部の長さが異なる２枚の合成樹脂製フィルムを、内部を滅菌状態にして両側縁部分、底縁部分および上縁部分を熱融着して密封した母乳保存用バッグを使用する方法であり、
該上縁部分に形成された熱融着部である弱熱融着部と、該弱熱融着部の下部に該弱熱融着部と略平行に形成されたチャック部とを、該弱熱融着部の上部において少なくとも一部の長さが異なる２枚の合成樹脂製フィルムからなる長摘み片と短摘み片とから形成され、かつ、両側縁部の上端部は、側縁部分の熱融着部によって熱融着されていないリリース部を有する摘み部の長摘み片および短摘み片を引き離すことにより開口し、次いで、該弱熱融着部とチャック部との間の側縁部分の熱融着部に形成された上部切り込みから、開口により汚染された摘み部を弱熱融着部と共に切除した後、該形成された開口から母乳を充填し、チャック部を閉口して母乳を保存することを特徴とする母乳保存用バッグの使用方法。
【請求項１０】
前記弱熱融着部のピール強度が、８〜１２Ｎ／１５ｍｍの範囲内にあることを特徴とする請求項９に記載の母乳保存用バッグの使用方法。
【請求項１１】
前記母乳を母乳保存用バッグに封入した後に、２枚の帯状の板状部と、該板状部からそれぞれ独立に立設された嵌合部とからなる前記チャック部を芯材として、該母乳保存用バッグを上端から所定の回数巻き込むことにより形成された巻回部を、該母乳保存用バッグの表面にシール部材を用いて係止することを特徴とする請求項９記載の母乳保存用バッグの使用方法。
【請求項１２】
上記側縁部分の熱融着部の下端部近傍には、該底縁部分に形成された底部熱融着部を開口するための下部切り込みが形成されており、該母乳保存用バッグに収納された母乳を、該下部切り込みから底部熱融着部の一部を切除して母乳取出し口を開口し、該開口から母乳を取り出すことを特徴とする請求項９記載の母乳保存用バッグの使用方法。
【請求項１３】
前記母乳保存用バッグを形成する合成樹脂製フィルムが、上部切り込みからの切り裂き方向と平行に一軸延伸された合成樹脂層、または、上部切り込みおよび下部切り込みから切り裂き方向に弱め線が設けられた合成樹脂層を有する合成樹脂製積層体から形成され、上部切り込みおよび下部切り込みから該母乳保存用バッグを幅方向に切り裂き可能に形成されていることを特徴とする請求項１２記載の母乳保存用バッグの使用方法。
【請求項１４】
前記母乳保存用バッグに母乳を充填してチャック部を閉口して母乳を密封すると共に、該密封された母乳を、冷蔵保存するか、あるいは冷凍保存し解凍して使用することを特徴とする請求項１３記載の母乳保存用バッグの使用方法。
【発明の詳細な説明】
【０００１】
【発明の属する技術分野】
本発明は、開封が容易であり、かつ母乳を滅菌状態で保存することができる母乳保存用バッグおよびその使用方法に関する。
【０００２】
【従来の技術】
従来から、母乳保存用バッグは母乳を容易に保存できることから広く用いられており、そのような母乳保存用バッグは図１４に示される。
図１４に示される母乳保存用バッグは、大きさの等しい２枚の合成樹脂製フィルムの周縁を、熱融着により貼り合わされた熱融着部１４２，１４２'，１４３，１４４で密封されており、この母乳保存用バッグは、開口部を形成し、さらに母乳を密封する際に用いる補強板部１４６およびその下に母乳を密封するための接着部１４８を長手方向ａに対し略直角方向に並行に備えている。
【０００３】
さらに、この母乳保存用バッグは、その左右両側縁１４２，１４２'の上縁部１４３側には、開封用の上部切り込みＡ，Ａ'を有し、その左右両側縁１４２，１４２'の下端部近傍には下縁部１４４に充填母乳を取り出すための開口を係止得するための下部切り込みＢ，Ｂ'を有する。
したがって、使用者は、母乳を充填する際には、母乳保存用バッグの上部切り込みＡ，Ａ'から横方向に切断して、バッグの上部を切除し、次いで補強板部１４６を両側方から中心方向に押し込んでバッグを開封し、母乳をバッグ内に充填する。このように母乳を充填したら、補強板部１４６を巻き芯にしてバッグの上部を折り込んで巻回して、巻回部を形成し、この巻回部を接着部１４８により母乳保存用バッグの前面に接着して気密状態を保ち、冷凍庫等で保存する。
【０００４】
こうして母乳保存用バックに保存した母乳を使用する際には、バッグを冷凍庫等から出して解凍し、バッグの下部切り込みＢ，Ｂ'からバッグ下端部を横方向に切除して注ぎ口を形成し、母乳を取り出すことができる。このようなバッグの内部は、滅菌処理が施されている。
また、この他にも、母乳保存用バッグとしては、図１５に示すように、上部にチャック部１５２を有するバッグも提案されており、このチャック部１５２の両側縁部には略コ字形に漏洩防止シール部材１５４，１５４'を有し、内容物を密封することができるように改良されたものが提案されている。
【０００５】
【発明が解決しようとする課題】
しかしながら、このような従来の母乳保存用バッグは、母乳を注入するために開口する際には、補強板部１４６の外部から力を加えるだけでは不充分であり、このバックの内部に指を挿入して開口を形成することが必要になる。また後者の例によれば、チャック部１５２の上端部を指で摘んで開封する。そのため、合成樹脂製フィルムからなる母乳保存用バッグの内部、特に開口部は、指に付着した雑菌などにより汚染され、このような汚染された開口部から母乳を充填すると、開口部に付着した雑菌が母乳に混入し、保存用の母乳が汚染されるという問題があった。このような保存母乳は乳児に与えられるものであり、こうした雑菌の混入しにくい母乳保存用バッグの出現が望まれている。
【０００６】
さらに、上記のような母乳の汚染の問題とは別に、このような母乳保存用バッグを開封する際には、母乳保存用バッグを形成する樹脂フィルムが、製造工程上で強く引かれることに伴い陰圧になりやすいことや、静電気的に引き合って密着し、このような状態の母乳保存用バッグを開口する際に貼りついた2枚のフィルムを摘み部で引き剥がすように摘むことが非常に難しく、開口を形成しにくいという問題もある。
【０００７】
本発明は、開封が容易であり、かつ母乳を雑菌に汚染されることなくバッグ内に充填して、滅菌状態を維持しやすい母乳保存用バッグおよびこの母乳保存用バッグを使用する方法を提供することを目的としている。
また、本発明は、母乳の充填時に開口が容易であり、さらに、この開口によっても内部の滅菌状態が維持される母乳保存用バッグおよびこの母乳保存用バッグを使用する方法を提供することを目的としている。
【０００８】
【課題を解決するための手段】
本発明の母乳保存用バッグは、長手方向に少なくとも一部の長さが異なる２枚の合成樹脂製フィルムを、内部を滅菌状態にして両側縁部分、底縁部分および上縁部分を熱融着して密封した母乳保存用バッグであり、
該上縁部分に形成された熱融着部は、母乳を注入するための開口を形成する際に引き剥がし可能な弱熱融着部であり、
該弱熱融着部の下部には、該弱熱融着部と略平行にチャック部が形成されており、
該弱熱融着部とチャック部との間の側縁部分の熱融着部には、開口により汚染された部分を弱熱融着部と共に切除するための上部切り込みが形成されており、該弱熱融着部の上部には、少なくとも一部の長さが異なる２枚の合成樹脂製フィルムからなる長摘み片と短摘み片とから形成され、かつ該短摘み片の両側縁部の上端部は、側縁部分の熱融着部によって熱融着されずにリリース部を形成する摘み部が、上記短摘み片と長摘み片とを引き離すことよって、上記弱熱融着部を剥離すると共に、チャック部を開口可能に形成されていることを特徴としている。
【０００９】
また、本発明の母乳保存用バッグの使用方法は、長手方向に少なくとも一部の長さが異なる２枚の合成樹脂製フィルムを、内部を滅菌状態にして両側縁部分、底縁部分および上縁部分を熱融着して密封した母乳保存用バッグを使用する方法であり、
該上縁部分に形成された熱融着部である弱熱融着部と、該弱熱融着部の下部に該弱熱融着部と略平行に形成されたチャック部とを、該弱熱融着部の上部において少なくとも一部の長さが異なる２枚の合成樹脂製フィルムからなる長摘み片と短摘み片とから形成され、かつ、両側縁部の上端部は、側縁部分の熱融着部によって熱融着されていないリリース部を有する摘み部の長摘み片および短摘み片を引き離すことにより開口し、次いで、該弱熱融着部とチャック部との間の側縁部分の熱融着部に形成された上部切り込みから、開口により汚染された摘み部を弱熱融着部と共に切除した後、該形成された開口から母乳を充填し、チャック部を閉口して母乳を保存することを特徴としている。
【００１０】
本発明の母乳保存用バッグおよびその使用方法においては、前記弱熱融着部のピール強度が、８〜１２Ｎ／１５ｍｍの範囲内にあることが好ましい。
さらに、本発明の母乳保存用バッグおよびその使用方法においては、上記側縁部分の熱融着部の下端部近傍には、該底縁部分に形成された底部熱融着部を開口するための下部切り込みが形成されていることが好ましい。
【００１１】
また、本発明の母乳保存用バッグおよびその使用方法においては、前記母乳保存用バッグを形成する合成樹脂製フィルムが、上部切り込みからの切り裂き方向と平行に一軸延伸された合成樹脂層、または、上部切り込みから切り裂き方向に弱め線が設けられた合成樹脂層を有する合成樹脂製積層体から形成されていることが好ましい。
【００１２】
さらにまた、本発明の母乳保存用バッグおよびその使用方法においては、前記母乳保存用バッグを開口する際に開口により汚染された摘み部を弱熱融着部と共に前記上部切り込みにより切除し、開口から該バッグの内部に母乳が注入され、さらに、チャック部が嵌合された後、該チャック部を芯材として所定の回数巻き込むことにより形成される巻回した巻回部を、巻回されなかった母乳保存用バッグの表面部分に係止するシール部材貼着予定部が形成されていることが好ましい。
【００１３】
上記の母乳保存用バッグに形成されたシール部材貼着予定部は、母乳保存用バッグの少なくとも一方の外面に形成された、シール部材の下端部の貼着位置を決めるシール部材貼着下端部位置決め手段であることが好ましく、さらに、前記母乳保存用バッグおよびその使用方法においては、透明な２枚の合成樹脂製フィルムから形成されていると共に、該母乳保存用バッグの一方の外面にシール部材の下端部の貼着位置を決めるシール部材貼着下端部位置決め手段を有し、さらにシール部材の上端の貼着位置を決めるシール貼着上端部位置決め手段が、前記巻回部の合成樹脂フィルムを透過して表示されることが好ましい。
【００１４】
さらに、前記シール部材が、該シール部材を形成する基材の一方の面に貼着部を有し、該貼着部の略下半分が前記母乳保存用バッグの一方の外面に貼着され、かつ、該貼着部の略上半分に剥離紙が貼着されており、
前記剥離紙が貼着された貼着部の剥離紙を除去した後に、前記巻回部に貼着して該巻回部を母乳保存用バッグに表面に係止するように形成されていることが好ましい。
【００１５】
また、本発明の母乳保存用バッグの使用方法においては、前記母乳を母乳保存用バッグに封入した後に、２枚の帯状の板状部と、該板状部からそれぞれ独立に立設された嵌合部とからなる前記チャック部を芯材として、該母乳保存用バッグを上端から所定の回数することにより形成された巻回部を、該母乳保存用バッグの表面にシール部材を用いて係止することによって母乳を保存することが好ましく、さらに、本発明の使用方法では、上記側縁部分の熱融着部の下端部近傍には、該底縁部分に形成された底部熱融着部を開口するための下部切り込みが形成されており、該母乳保存用バッグに収納された母乳を、該下部切り込みから底部熱融着部の一部を切除して母乳取出し口を開口し、該開口から母乳を取り出すことが好ましい。
【００１６】
また、本発明の母乳保存用バッグを、前記母乳保存用バッグに母乳を充填してチャック部を閉口して母乳を密封すると共に、該密封された母乳を、冷蔵保存するか、若しくは冷凍保存し解凍して使用することが好ましい。
本発明の母乳保存用バッグは、内部の滅菌状態を破壊することなく開口部を形成することが可能であり、このバッグを使用することにより、母乳を衛生的に、安全に保存することができる。しかも、本発明の母乳保存用バッグは、開口を形成するのが容易である。
【００１７】
【発明の実施の形態】
以下、本発明の母乳保存用バッグおよびその使用方法の実施態様について、図面を参照しながら詳細に説明する。
本発明の母乳保存用バッグを図１に示す概略正面図を用いて説明する。
図１に示すように、本発明の母乳保存用バッグは、長手方向に長さが異なる２枚の合成樹脂製フィルムを、内部を滅菌状態にして両側縁部分、底縁部分および上縁部分を熱融着して密封した母乳保存用バッグである。
【００１８】
本発明の母乳保存用バッグ１は、合成樹脂製フィルムから形成されており、本発明で用いられる合成樹脂製フィルムは、ある程度の強度があり、かつ熱可塑性であれば、特に制限なく使用することができる。例えば、ポリエチレンおよびポリプロピレンなどのポリオレフィン、ナイロン、ポリアミド、ポリ塩化ビニル、ポリエステル等からなる合成樹脂からなるフィルムを用いることができる。特に本発明ではポリエチレンフィルムを用いることが好ましい。本発明で好適に使用されるポリエチレンフィルムの例としては、直鎖状低密度ポリエチレン(LLDPE)、低密度ポリエチレン(LDPE)、高密度ポリエチレン(HDPE)、エチレン・プロピレン共重合体、不飽和カルボン酸変性ポリエチレン、エポキシ変性ポリエチレンなどからなるフィルムを挙げることができる。
【００１９】
この合成樹脂製フィルムは、熱融着による加工性を向上させるために、２層以上の積層構造であることが好ましく、最内層により熱融着性が向上している。その積層構造の最内層としては、直鎖状低密度ポリエチレン(LLDPE)、低密度ポリエチレン(LDPE)、カルボン酸変性ポリプロピレン等の融点の低い熱融着用樹脂フィルムが挙げられ、一方、外層としては、ナイロン、ポリアミド、高密度ポリエチレン(HDPE)等の樹脂フィルムが挙げられ、これらを所望の組み合わせで積層された積層フィルムを用いることができる。特に本発明では、外層をナイロン、最内層をポリエチレンとしたラミネートフィルムを用いることが好ましい。
【００２０】
本発明の母乳保存用バッグ１は、上記のような合成樹脂製フィルムを2枚融着させてなる密封袋体である。即ち、本発明の母乳保存用バッグ１の両側縁部分、底縁部分および上縁部分には、それぞれ熱融着部１４，１４’、１６、１２が形成されており密封されている。これらの熱融着部のうち、上縁部分に形成された熱融着部は、弱熱融着部１２であり、両側縁部分に形成された熱融着部１４，１４’は、強熱融着部であり、底縁部分に形成された熱融着部１６は強熱融着部である。
【００２１】
このような弱熱融着部１２について、上縁部分を１５ｍｍ幅に切断した試験片を用意し、各摘み片２１、２２を離間させた際のピール強度の最大値は、通常は８〜１２Ｎ／１５ｍｍ、好ましくは９〜１１Ｎ／１５ｍｍの範囲内にあり、容易に引き剥がすことができる。これに対して、両側縁部分に形成された熱融着部１４，１４’および底縁部分に形成された熱融着部１６のピール強度の最大値は、通常は２５〜５０Ｎ／１５ｍｍ、好ましくは３０〜４５Ｎ／１５ｍｍの範囲内にあり、易剥離性は有していない。なお、弱熱融着部１２のヒートシール幅は、通常は１〜１０mm、好ましくは４〜６mmである。
【００２２】
このようなピール強度の差は、ヒートシール条件によって生ずる。即ち、弱熱融着部１２の熱融着条件は、通常は、ラバーやテフロン（Ｒ）テープによるシールバーを介して、加熱部の温度１２０〜１５０℃、好ましくは１３０〜１３５℃、圧力２００〜６００Ｎ／ｍ2、好ましくは４００〜４５０Ｎ／ｍ2、時間１．０〜１．６秒であるのに対して、強熱融着されている熱融着部１４，１４’、１６の熱融着条件は、通常は加熱部温度１５０〜１８０℃、圧力２００〜６００Ｎ／ｍ2、好ましくは４００〜４５０Ｎ／ｍ2、時間１．２〜１．８秒である。  本発明の母乳保存用バッグ１を開口する際には、この弱熱融着部１２が引き剥がされる。
【００２３】
本発明の母乳保存用バッグ１の内部は、例えば紫外線の照射、γ線あるいは電子線の照射などの滅菌方法により滅菌処理されており、上記熱融着部１４，１４’、１６、１２によって密封状態にされることによって、内部の滅菌状態は少なくとも開封までは維持されている。
本発明の母乳保存用バッグ１において、上記のようにして形成された弱熱融着部１２の底部側（下部側）には、弱熱融着部と略平行にチャック部３０が形成されている。このチャック部３０の概略断面図を、図３に示す。
【００２４】
図３に示すように、チャック部３０は、２枚の帯状の板状部３１ａ，３１ｂと、この板状部からそれぞれ独立に立設された嵌合部３２とからなる。
板状部３１ａ，３１ｂは、２枚の合成樹脂製フィルムの対峙する内面に貼着されており、それぞれの板状部３１ａ，３１ｂには、雌型嵌合部３２ａと雄型嵌合部３２ｂとが独立に立設されている。なお、図１および図３には嵌合部３２が一条形成されたチャック部３０が示されているが、この嵌合部３２を２条以上有するチャックを用いてもよい。さらに板状部３１ａ，３１ｂに１条の嵌合部３２を有するチャックを２個以上併設してもよい。
【００２５】
また、雌型嵌合部３２ａおよび雄型嵌合部３２ｂを、それぞれ有色透明で異なる色に着色し、これらが嵌合された際に色が変わるようにして、使用者に確実に嵌合させるように促す構成としてもよい。
この嵌合部３２は、図３に示すように、断面が略Ｕ字形である雌型嵌合部３２ａと、断面が略銛形である雄型嵌合部３２ｂとからなり、雌型嵌合部３２ａ内に、雄型嵌合部３２ｂが挿入されることによってチャック部３０が閉口され、母乳保存用バッグ１の密閉性がある程度保たれ、この嵌合を解除することによって、この母乳保存用バッグ１を開口することができる。
【００２６】
チャック部３０は、板状部３１ａ，３１ｂおよび嵌合部３２が共に母乳保存用バッグを形成する合成樹脂製フィルムよりも高い自己形態保持性を有しており、このチャック部３０が形成された部分は、母乳保存用バッグの他の部分よりも硬質になる。
さらに、本発明の母乳保存用バッグ１において、上記弱熱融着部１２よりも上部には、この母乳保存用バッグ１を開封する際に、弱熱融着部１２を剥離し、チャック部３０を開口するための摘み部２０が形成されている。
【００２７】
この摘み部２０は、この母乳保存用バッグ１を形成する長手方向に少なくとも一部の長さが異なる２枚の合成樹脂姓フィルムの上端部によって形成されている。即ち、図２に示すように、２枚の合成樹脂製フィルムのうち、長い合成樹脂製フィルムが弱熱融着部１２の上部にまで延設されて長摘み片２２を形成し、短い合成樹脂製フィルムが弱熱融着部１２の上部にまで延設されて短摘み片２１を形成し、この長摘み片２２と短摘み片２１とによって摘み部２０を形成する。この摘み部２０を形成する短摘み片２１は、両側縁部に形成されている熱融着部１４、１４’によって、その上端部で、長摘み片２２に熱融着されておらずにリリース部２４ａ、２４ｂを形成している。しかもこの短摘み片２１の両側縁部において先端部は、長摘み片２２と熱融着されずにリリース部２４ａ、２４ｂを形成することにより、この短摘み片２１はほぼ自立した状態であるのに対し、長摘み片２２は外側に大きくカールする傾向がある。このように短摘み片２１および長摘み片２２は、その長さも同一ではなく、しかも短摘み片２１に対して長摘み片２２は、大きく反対方向にカールする傾向があるので、摘み部２０を形成する短摘み片２１および長摘み片２２が密着することがなく、この摘み部２０はたいへん掴み易い。なお、この摘み部２０を形成する短摘み片２１および長摘み片２２の長さには、特に制限がなく、摘み易い長さに適宜設定することができるが、弱熱融着部１２から上の短摘み片２１の長さ、即ち弱熱融着部１２から短摘み片の上端部２１ａの長さは、通常は、５〜２０mm、好ましくは５〜１０mmであり、弱熱融着部１２から上の長摘み片２２の長さは、通常は１０〜２５mm、好ましくは１０〜１５mmであり、５〜１０mm程度の範囲内で、長さを変えることがより好ましい。また、この短摘み片２１の両側縁部の熱融着部１４、１４’の上端部から短摘み片２１までのリース部２４ａ、２４ｂの長さＤは、通常は１〜３mm、好ましくは１．５〜２．５mmである。
【００２８】
上記のような上部構成を有する本発明の母乳保存用バッグ１は、図１１に示すように、摘み部２０を形成する短摘み片２１と長摘み片２２をそれぞれ摘み、短摘み片２１と長摘み片２２とを引き離すように前後に引っ張り、まず弱熱融着部１２を剥離する。さらに、この弱熱融着部１２の剥離に続いてチャック部３０の嵌合部３２の係合を解いて、チャック部３０も開口させる。
【００２９】
上記のように、弱熱融着部１２の剥離およびチャック部３０の開口の際には、摘み部２０を指で摘んで引き剥がすことが必要になり、この工程により、摘み部２０は指などに付着している雑菌によって汚染されるが、弱熱融着部１２を境として、この弱熱融着部より内部には、通常は指が侵入することはないので、通常の場合、この母乳保存用バッグ１を開封する際に、弱熱融着部１２から下部は汚染されることは殆どない。
【００３０】
なお、このように長摘み片２２と短摘み片２１の長さを変えることで、摘み部２０を摘み易くしているが、長摘み片２２と短摘み片２１の長さを略同等とし、例えば、短摘み片２１側の上端の一部を切り欠いて、長摘み片２２が露出するようにして、摘み部２０における一方の一部の長さを異なるように構成してもよい。
【００３１】
このように汚染された摘み部２０を上記剥離された弱熱融着部１２と共に切除するために、本発明の母乳保存用バッグ１のチャック部３０と上記弱熱融着部１２との間の側縁部分には上部切り込みＡ、Ａ’が形成されている。
即ち、弱熱溶着部１２を剥離すると共にチャック部３０を開口するために、摘み部２０の短摘み片２１および長摘み片２２を摘んで、相互に引き離すように引くと、上記弱熱溶着部１２は剥離して開口すると共にチャック部３０も開口して母乳を充填することができる。しかしながら、このように摘み部２０を指で摘むことによって、この短摘み片２１および長摘み片２２の内部壁面は指に付着してる雑菌によって汚染されるが、引き剥がす前には弱融着部１２は、融着状態にあり、この弱融着部１２よりも内側は汚染されることがない。そこで、本発明では、上記のように摘み部２０を摘んで、この母乳保存用バッグを開封した後、汚染の虞のないチャック部３０と弱融着部１２との間の側縁部分に形成された上部切り込みＡ，Ａ’から摘み部２０を弱熱融着部１２と共に切除する。このとき上部切り込みＡ，Ａ’の間をチャック部３０と略平行に直線的に切除するためには、この母乳保存用バッグ１を形成する合成樹脂製フィルムとして、切り裂き方向に略同一の方向に一軸延伸された合成樹脂層、または、ミシン目等の弱め線を上部切り込みＡ、Ａ'間に設けた合成樹脂層を少なくとも有する合成樹脂製フィルムを使用することが好ましい。
【００３２】
上記のように切り裂き方向に略同一の方向に一軸延伸された合成樹脂層、または、ミシン目等の弱め線を上部切り込みＡ、Ａ'間に設けた合成樹脂層を少なくとも有する合成樹脂製フィルムを用いることにより、上部切り込みＡ、Ａ'からの母乳保存用バッグ１の切り裂きが容易になる。
そして、上記のように上部切り込みＡ、Ａ'の上下を母乳保存用バッグ１の外面から摘んで、この母乳保存用バッグ１を開口するのに使用して汚染された摘み部２０を弱熱融着部１２と共に切り裂き撤去することにより、母乳の注入口の部分から汚染された部材を撤去できるので、この母乳保存用バッグ１の内部の滅菌状態は維持され、滅菌された状態の母乳保存用バッグ内に母乳を充填し、保存することができる。
【００３３】
上記のようにして、上部切り込みＡ、Ａ'から摘み部２０を弱熱融着部１２と共に切除した後、図１１に矢印Ｐ、Ｐで示すように、チャック部３０が形成されている部分を、母乳保存用バッグ１の両側縁部から内側に押し込むと同時に、この母乳保存用バッグ１を矢印Ｑで示すように下方に引っ張ることにより、母乳保存用バッグ１のチャック部３０の開口状態が維持され、さらに母乳保存用バッグ１内に、母乳を保存するための空隙を容易に形成することができる。即ち、チャック部３０は上記工程で既に嵌合部３２の係合が解かれており、しかもこのチャック部３０を形成する２枚の帯状の板状部３１ａ，３１ｂは、母乳保存用バッグ１の他の部分よりも硬質であり、横方向からの押し圧によって、この母乳保存用バッグ１の上端部に楕円上の開口部を形成する。さらに、こうしてチャック部３０によって上端部に楕円状の開口を形成する空隙を、この母乳保存用バッグ１を下方に引っ張ることによって母乳保存用バッグ１の下端方向にまで広げることができる。
【００３４】
このように本発明の母乳保存用バッグ１を使用することにより、開口の際に汚染される摘み部２０は剥離された弱熱融着部１２と共に撤去され、しかもこの母乳保存用バッグ１に母乳を充填する際には、母乳保存用バッグ１の内部に接触することなくこの母乳保存用バッグ１の開口状態を維持することができるので、母乳保存用バッグ１の内部の滅菌状態が母乳保存用バッグの開口および母乳を充填する際の再開口によっても維持することができる。
【００３５】
こうして再開口された母乳保存用バッグに、母乳を充填した後、チャック部３０を外側から押圧して閉口することにより、ほぼ滅菌状態にある母乳保存用バッグ内部に安全に母乳を密封することができ、このようにして充填された母乳は母乳保存用バッグと共に移動され、必要により、冷蔵、あるは冷凍して保存することができる。
【００３６】
このように本発明の母乳保存用バッグ１に母乳を充填し、チャック部３０を閉口して母乳密封室Ｅを形成することにより、母乳を安全に保存することができるが、上記のようなチャック部３０によってこの母乳保存用バッグを密封した場合であっても、この母乳保存用バッグ１の密封は必ずしも完全とはいえないことがある。
【００３７】
即ち、上記のようなチャック部３０は、熱融着性を有する２枚の合成樹脂製フィルム間に長尺のチャックを嵌挿してチャックをフィルムに熱融着することによおり形成されるが、側縁部の強熱融着部１４、１４'を形成する際にヒートシールバーで、このチャックを押し潰しながら熱融着する必要がある。この際、側縁部分の熱融着部１４，１４’のチャック部３０が形成されている近傍では、他の部分よりも溶融樹脂量が多くなり、チャックの立ち上がり部分における嵌合部３２が押し潰されて、この部分の嵌合状態が不完全になることが多い。従って、この部分から母乳密封室Ｅに充填された母乳が漏出することがあり、あるいはこの部分からの雑菌の浸入などが生ずることがある。
【００３８】
そこで、本発明の母乳保存用バッグ１においては、図１１に示すのと同様にして母乳保存用バッグ１に母乳を充填した後、図１２に示すように、チャック部３０を閉口して母乳を母乳密封室Ｅに密封した後、チャック部３０が他の部分よりも硬質であることを利用して、このチャック部３０を形成する帯状の板状部３１ａ，３１ｂの幅Cを巻き幅として、母乳保存用バッグ１の上端部から母乳保存用バッグを巻回して、この巻回部１２２を母乳保存用バッグの表面に係止する。
【００３９】
図１２は、このように母乳保存用バッグ１の上端部を巻回して保存する方法を説明するための図である。
即ち、上記と同様にして、摘み部２０を用いて弱熱融着部１２を剥離すると共にチャック部３０を開口させた後、上部切り込みＡ，Ａ'から、摘み部２０および剥離された弱熱融着部１２を切除し、さらにチャック部３０を再開口して母乳を充填し、チャック部３０を閉口して、母乳を母乳密封室Ｅに密封する。次いで、チャック部３０を形成する帯状の板状部３１ａ，３１ｂの幅Cを巻き幅とすると共にこの帯状の板状部３１ａ，３１ｂを巻き芯として、この母乳保存用バッグ１を、上端部から巻回する。この母乳保存用バッグ１の巻回回数は、２〜５回程度にすることができるが、本発明者の検討によると、この巻回回数は３回が好適である。チャック部３０を形成する帯状の板状部３１ａ，３１ｂを巻き芯として３回巻回することにより、チャック部３０から仮に雑菌が侵入したとしても、この雑菌が母乳にまで到達することは殆ど不可能であり、また、チャック部３０の閉口が仮に不完全であったとしても母乳密封室Ｅにある母乳が漏れ出すことが殆どない。このような巻回による密封効果は、巻回数を４回以上にしても巻回回数の増加による差は殆ど生じない。また、巻回回数が２回よりも少ないと上記のような巻回による効果は発現しない。
【００４０】
このようにして形成された巻回部１２２は、シール部材８８を用いて母乳保存用バッグの前面に固定される。
ここで使用されるシール部材８８は、基材とこの基材の一方の面に形成された接着剤層とを有し、この接着剤層の表面には通常は剥離紙が貼着されている。ここで使用される基材としては、紙、不織布、織布あるいは合成樹脂などを使用することができる。特に、このシール部材８８は本発明の母乳保存用バッグ１においては、その表面を情報記録手段として使用することができるものであることが好ましく、紙あるいは表面が粗性加工された合成樹脂などであることが好ましい。このシール部材８８には、例えば子供の名前、母乳を搾乳した日付や時間、搾乳量などの情報を記載することができる。このような基材に形成される接着剤層は、通常の感圧接着剤を用いて形成することができ、また、剥離紙も通常の剥離紙を使用することができる。
【００４１】
このようなシール部材８８は、巻回部１２２と母乳保存用バッグ１の表面とに跨るように貼着されるが、母乳保存用バッグ１には、このようなシール部材８８を貼着するシール部材貼着予定部を形成することが好ましい。具体的には、図８に示すように、シール部材貼着予定部は、母乳保存用バッグの外面にシール部材８８の貼着位置を決めるために、このシール部材の下端部を貼着する位置を母乳保存用バッグの一方の面（表面）に描画したシール部材貼着下端部位置決め手段８６である。さらに、本発明で使用されるシール部材８８の形状を一定の大きさに形成することにより、図１２に示されるように、チャック部３０を巻き芯として３回巻回した際に、シール部材貼着下端部位置決め手段８６と共同して、シール部材８８の貼着位置を区画するシール部材貼着上端部位置決め手段８４を形成することが好ましい。このシール部材貼着上端部位置決め手段８４は、図８および図１２に示すように、シール部材貼着下端部位置決め手段８６が描画されている母乳保存用バッグ１の同じ面に描画される。この母乳保存用バッグ１の一方の面に形成されるシール部材貼着上端部位置決め手段８４の描画位置は、チャック部３０を形成する帯状の板状部３１ａ，３１ｂの上端部から、（板状部３１ａ，３１ｂの幅）×（巻回回数−１）+（板状部３１ａ，３１ｂの幅（Ｃ））×（0.4〜0.9、好ましくは0.5〜0.7）の範囲内の位置に形成することが好ましい。
【００４２】
また、シール部材貼着上端部位置決め手段８４は、上方に開いたコの字状とされて、巻き回した際に、シール部材貼着下端部位置決め手段８６と合わされて、シール部材８８と略同等の外形線となるように構成されている。つまり、巻き回す回数が奇数の場合には、シール部材貼着上端部位置決め手段８４は、上方に開いたコの字状、一方、偶数の場合には下方に開いたコの字状とすればよい。
【００４３】
このようにして形成されたなシール部材貼着上端部位置決め手段８４は、図１２に示すように、母乳保存用バッグ１をチャック部３０を形成する帯状の板状部３１ａ，３１ｂを巻き芯として巻回した際に、シール部材貼着上端部位置決め手段８４と共同してシール部材８８の貼着範囲を規定することができる。さらに、このようにシール部材貼着上端部位置決め手段８４を形成することによって、巻回回数を一定にすることができると共に、巻回状態を一定にすることもできる。即ち、板状部３１ａ，３１ｂを巻き芯として所定の状態に巻回していないと、シール部材貼着上端部位置決め手段８４とシール部材貼着下端部位置決め手段８６とによって規定されるシール部材貼着予定部の形態が、貼着しようとするシール部材８８の形態と一致しない。従って、シール部材貼着下端部位置決め手段８６と共に、シール部材貼着上端部位置決め手段８４を形成することによって、間接的に、この母乳保存用バッグ１の巻回状態を一定の状態に規定することが可能になり、チャック部３０からの母乳漏れ、および、チャック部３０からの雑菌の浸入をほぼ完全に防止できるようになる。なお、上記のようなシール部材貼着上端部位置決め手段８４を形成する場合、母乳保存用バッグ１が透明乃至半透明であり、巻回した際に母乳保存用バッグ１の巻回部１２２に形成されたシール部材貼着上端部位置決め手段８４が巻回部１２２の合成樹脂フィルムを透過して表示され視認できる場合に有用である。
【００４４】
本発明において、シール部材８８は、上記のように母乳保存用バッグ１とは別体に形成することもできるし、さらに図９、図１０および図１３に示すように、母乳保存用バッグ１と一体に形成してもよい。図９は、シール部材９０の下半分が、母乳保存用バッグ１の表面に貼着されて一体化された母乳保存用バッグ１の概略正面図であり、図１０は、シール部材９０が貼着された部分の縦断面を模式的に示す図であり、図１３は、シール部材９０を貼着する工程を詳細に示す図である。
【００４５】
ここで使用するシール部材９０は、図９、図１０および図１３に示すように、シール部材９０が、基材９１の一方の面に接着剤層９２，９４を有し、この接着剤層の略下半分９２（下部接着剤層）が前記母乳保存用バッグ１の一方の外面に貼着され、かつ、接着剤層の略上半分９４（上部接着剤層）には、使用時に剥離可能に剥離紙９６が貼着されている。前記剥離紙で保護された接着剤層の略上半分９４は、上述のようにしてチャック部３０を形成する帯状の板状部３１ａ，３１ｂを巻き芯として巻回されて巻回部１２２を形成した後、剥離紙９６を除去して巻回部１２２に貼着され、この巻回部１２２を上記と同様にして母乳保存用バッグ１の表面に係止することができる。このようにシール部材９０を母乳保存用バッグ1と一体に形成することによって、シール部材を紛失することもなく、また、このシール部材９０が帯状の板状部３１ａ，３１ｂを一定の状態で所定回数巻回したときに、巻回部１２２に貼着可能な位置に設置されているので、巻回回数および巻回状態を間接的に規定することができる。さらに、このようにシール部材９０を予め母乳保存用バッグ１の表面に貼着して一体化することにより、この母乳バッグが不透明であってもよく、母乳保存用バッグを形成する素材が透明乃至半透明である必要がなくなり、素材の選択幅が広くなると共に、母乳保存用バッグへの印刷の自由度が高くなる。
【００４６】
なお、上記の説明は、母乳保存用バッグの表面にシール部材９０を貼着した態様を中心に説明したが、上記説明における巻回部１２２、即ち、裏面側に予めシール部材を貼着することもできる。
上記のようにして母乳保存用バッグ１に充填され、密封された母乳は、そのまま携帯することもできるし、また、冷蔵保存あるいは冷凍保存することもできる。
【００４７】
こうして一旦本発明の母乳保存用バッグ１に充填された母乳を取り出す際には、底部に開口部を形成してこの底部開口から母乳を取り出す。
図１に示す母乳保存用バッグでは、底部分に開口を形成するための下部切り込みＢ、Ｂ’が形成されている。この下部切り込みＢ，Ｂ'は、熱融着部の側縁部１４，１４'の下縁部１６側に設けられ、これら側端のいずれか一方に有していればよいが、図１に示すように側縁部１４，１４'の両方に有していることが好ましい。下部切り込みによって、母乳を取り出す底部開口が形成される。
【００４８】
前記したように、本発明の母乳保存用バッグ１を形成する合成樹脂製フィルムは、切り裂き方向に略同一の方向に一軸延伸された合成樹脂層、または、ミシン目等の弱め線を下部切り込みＢ，Ｂ'間に設けた合成樹脂層を有しているため、下部切り込みＢ，Ｂ'から容易に切り裂くことができる。
そして、充填された母乳を取り出すための底部開口は、図４に示されるように、下部切り込みＢ，Ｂ'から、この母乳保存用バッグ１の底部を切除した際に、熱融着部によって閉塞されている部分と開口とが形成されるように、予め熱融着幅の狭い底部開口予定部４２を形成し、この底部開口予定部４２が開口するように切除することにより形成されるものであることが好ましい。即ち、母乳保存用バッグ１においては、図４に示したように、熱融着部の下縁部１６が、下部切り込みＢ，Ｂ' で切除されたときに、下縁部１６の幅よりも狭い注ぎ口を形成するための底部開口予定部４２を有している。
【００４９】
このような底部開口予定部４２は、下縁部１６に形成された熱融着部を下部切り込みＢ，Ｂ'から切除することにより開口し、母乳密封室Ｅに密封された母乳を、哺乳瓶などの容器に容易に注ぐことができる。
また、底部開口予定部４２に略円筒状の開口部材を予め設けるなど、下部切り込みＢ，Ｂ'を切除した後に、開口予定部を開口した状態に維持しやすくすることで注ぎ易いように構成してもよい。
【００５０】
この下部切り込みＢ，Ｂ'の上部において、底部開口予定部４２に連通する母乳密封室Ｅの底辺Ｅ'の傾斜角αは、１〜５°の角度であることが好ましい。このような角度で母乳密封室Ｅの底辺Ｅ'が傾斜していることにより、母乳保存用バッグに密封された母乳を、哺乳瓶などの容器に容易に注ぐことができる。
このようにして母乳保存用バッグ１から哺乳瓶などの容器に移し替えられた母乳は、授乳の用に供される。
【００５１】
本発明の母乳保存用バッグは、上記のような構成を有しているが、さらに本発明の母乳保存用バッグは、その目的を損なわない範囲内で、さらに種々改変することができる。
例えば、母乳保存用バッグ１には、図５に示したように、熱融着部の側縁部１４，１４'を、母乳保存用バッグの内方向に突出した突出部５２，５２'を有するように形成することが好ましい。この突出部５２，５２'においては、上部法辺５２ａ，５２'ａよりも下部法辺５２ｂ，５２'ｂが急峻に形成されていることが好ましい。このように突出部５２，５２'を形成することにより、母乳を充填する際には、注ぎ込み抵抗が小さくなり、一旦母乳密封室Ｅに充填された母乳は逆流しにくくなる。
【００５２】
本発明の母乳保存用バッグには、図６に示すように、下縁部１６に底部開口予定部４２を形成し、側縁部１４，１４'に突出部５２，５２'を形成することもできる。さらに、図７に示されるように、突出部５２，５２'に沿って、側縁部１４，１４'を母乳保存用バッグの内方向にそれぞれ欠切された切り欠き部７２，７２'を形成することもできる。側縁部１４，１４'に切り欠き部７２，７２'が形成されることにより、切り欠き部７２，７２'に指をかけることができ、母乳保存用バッグ１の取り扱いが容易になる。
【００５３】
また、本発明の母乳保存用バッグ１は、例えば、上記母乳保存用バッグを形成する合成樹脂製フィルムを、この合成樹脂製フィルムが内接する部分の表面に、細孔を有していることにより、母乳中に含有される有害物質を除去することが可能になる。この場合には、除去対象物に対する親和性の良いフィルムを使用する。
【００５４】
なお、本発明において、母乳保存用バッグは、母乳の充填口が上部にあるものとして記載して説明したが、本発明において、各部材の形成位置は相対的なものである。
【００５５】
【発明の効果】
本発明の母乳保存用バッグは、開封が容易であり、しかも開封によっても内部の滅菌状態を確保することができる。さらに、本発明の母乳保存用バッグを使用することにより、母乳を滅菌状態の保存用バッグに安全に保存することができる。
【図面の簡単な説明】
【図１】図１は、本発明の母乳保存用バッグの例を示す概略正面図である。
【図２】図２は、図１に示す本発明の母乳保存用バッグの上端部分を拡大して示す概略斜視図である。
【図３】図３は、本発明の母乳保存用バッグのチャック部の例を示す概略断面図である。
【図４】図４は、本発明の母乳保存用バッグの他の例を示す概略正面図である。
【図５】図５は、本発明の母乳保存用バッグの他の例を示す概略正面図である。
【図６】図６は、本発明の母乳保存用バッグの他の例を示す概略正面図である。
【図７】図７は、本発明の母乳保存用バッグの他の例を示す部分概略正面図である。
【図８】図８は、本発明の母乳保存用バッグの他の例を示す概略正面図である。
【図９】図９は、本発明の母乳保存用バッグの他の例を示す概略正面図である。
【図１０】図１０は、本発明の母乳保存用バッグに用いられるシール部材の概略側面図である。
【図１１】図１１は、本発明の母乳保存用バッグを使用する方法の例を示す工程図である。
【図１２】図１２は、本発明の母乳保存用バッグを使用する方法の他の例を示す工程図である。
【図１３】図１３は、図９に示す方法における工程の一部を示す工程図である。
【図１４】図１４は、従来の母乳保存用バッグを示す概略正面図である。
【図１５】図１５は、従来の母乳保存用バッグを示す概略正面図である。
【符号の説明】
１      ・・・母乳保存用バッグ
１２    ・・・弱熱融着部
１４，１４'  ・・・熱融着部の側縁部
１６    ・・・熱融着部の下縁部
２０    ・・・摘み部
２１    ・・・短摘み片
２１ａ  ・・・短片２１の上端部
２２    ・・・長摘み片
２４ａ、２４ｂ・・・リリース部
３０    ・・・チャック部
３１ａ，３１ｂ・・・帯状の板状部
３２・・・嵌合部
３２ａ・・・雌型嵌合部
３２ｂ・・・雄型嵌合部
４２・・・底部開口予定部
５２，５２'  ・・・突出部
５２ａ，５２'ａ・・上部法辺
５２ｂ，５２'ｂ・・・下部法辺
７２，７２'  ・・・切り欠き部
８４    ・・・シール部材貼着上端部位置決め手段
８６    ・・・シール部材貼着下端部位置決め手段
８８，９０    ・・・シール部材
９１・・・基材
９２・・・（下部）接着剤層
９４・・・（上部）接着剤層
９６・・・剥離紙
１２２    ・・・巻回部
Ａ，Ａ'    ・・・上部切り込み
Ｂ，Ｂ'    ・・・下部切り込み
Ｅ        ・・・母乳密封室
Ｅ'・・・底辺
α・・・傾斜角
Ｐ・・・押し込み方向
Ｑ・・・引張り方向
【図１】
0003696575.tif 000002
【図２】
0003696575.tif 000003
【図３】
0003696575.tif 000004
【図４】
0003696575.tif 000005
【図５】
0003696575.tif 000006
【図６】
0003696575.tif 000007
【図７】
0003696575.tif 000008
【図８】
0003696575.tif 000009
【図９】
0003696575.tif 000010
【図１０】
0003696575.tif 000011
【図１１】
0003696575.tif 000012
【図１２】
0003696575.tif 000013
【図１３】
0003696575.tif 000014
【図１４】
0003696575.tif 000015
【図１５】
0003696575.tif 000016